(57)【要約】 【課題】  ニップルとこれに圧入されるリングが相対動転せず且つ低コストであるホース継手金具を提供すること。【解決手段】  ニップル１と、前記ニップル１の一端部に回動自在に且つ抜け止め状態に取り付けられるナット２と、工具対応部を有し且つ前記ニップル１に圧入されたリング３と、前記リング３にカシメ止めされたソケット４とから構成され、前記ニップル１、ナット２、リング３及びソケット４が同一直線上に組み込まれているホース継手金具において、前記ニップル１の外周壁に形成された凹凸とリング３の内周壁に形成された凹凸とが周方向に係止状態になっている。なお、凹凸の形態は、長さ方向の凹凸、あやめ方向の凹凸、螺旋状の凹凸又はランダムな凹凸である。【選択図面】  図１
2006090358.tif 000002
【特許請求の範囲】
【請求項１】
ニップルと、前記ニップルの一端部に回動自在に且つ抜け止め状態に取り付けられるナットと、工具対応部を有し且つ前記ニップルに圧入されたリングと、前記リングにカシメ止めされたソケットとから構成され、前記ニップル、ナット、リング及びソケットが同一直線上に組み込まれているホース継手金具において、前記ニップルの外周壁に形成された凹凸とリングの内周壁に形成された凹凸とが周方向に係止状態になっていることを特徴とするホース継手金具。
【請求項２】
ニップルと、前記ニップルの一端部に回動自在に且つ抜け止め状態に取り付けられるナットと、前記ニップルにカシメ止めされたソケットとから構成され、前記ニップル、ナット、及びソケットが同一直線上に組み込まれているホース継手金具において、前記ニップルの外周壁に形成された凹凸とソケット内周壁に形成された凹凸とが周方向に係止状態になっていることを特徴とするホース継手金具。
【請求項３】
ニップルの外周壁に形成された凹凸は、当該ニップルの長さ方向の凹凸、あやめ方向の凹凸、螺旋状の凹凸又はランダムな凹凸であり、リングの内周壁に形成された凹凸は前記ニップルの外周壁に形成された凹凸が転写されたものであることを特徴とする請求項１記載のホース継手金具。
【請求項４】
ニップルの外周壁に形成された凹凸は、当該ニップルの長さ方向の凹凸、あやめ方向の凹凸、螺旋状の凹凸又はランダムな凹凸であり、ソケットの内周壁に形成された凹凸は前記ニップルの外周壁に形成された凹凸が転写されたものであることを特徴とする請求項２記載のホース継手金具。
【請求項５】
ニップルの外周壁に形成された凹凸は、ローレット加工により形成されたものであることを特徴とする請求項１乃至４のいずれかに記載のホース継手金具。
【請求項６】
ニップルにおけるリングが圧入される箇所には、ニップル軸方向に三列の凹凸形成部が形成されていることを特徴とする請求項１、３、５のいずれかに記載のホース継手金具。
【請求項７】
ニップルにおけるソケットが圧入される箇所には、ニップル軸方向に三列の凹凸形成部が形成されていることを特徴とする請求項２、４、５のいずれかに記載のホース継手金具。
【請求項８】
ニップルの外周壁に形成された三列の凹凸形成部のうち、中央部の径はこれを挟む両端部の径よりも小径としてあることを特徴とする請求項６又は７記載のホース継手金具。
【請求項９】
ニップルの外周壁にローレット加工によって凹凸を形成する工程と、前記ニップルにおける凹凸が形成された部分にリングを圧入する工程と、前記圧入されたリングを外周壁から内周壁側に向かってカシメて、ニップルの外周壁に形成された凹凸を前記リングの内周壁に転写する工程とから成ることを特徴とするホース継手金具におけるニップルへのリングの取り付け方法。
【請求項１０】
ニップルの外周壁にローレット加工によって凹凸を形成する工程と、前記ニップルにおける凹凸が形成された部分にソケットを圧入する工程と、前記圧入されたソケットを外周壁から内周壁側に向かってカシメて、ニップルの外周壁に形成された凹凸を前記ソケットのの内周壁に転写する工程とから成ることを特徴とするホース継手金具におけるニップルへのリングの取り付け方法。
【発明の詳細な説明】
【技術分野】
【０００１】
この発明は、直線型（ニップル、ナット、及びソケット等が同軸上に組み立てられているタイプ）のホース継手金具、及びホース継手金具におけるニップルへのリングの取り付け方法に関するものである。
【背景技術】
【０００２】
ホース継手金具としては、例えば、ニップルと、前記ニップルの一端部に回動自在に且つ抜け止め状態に取り付けられるナットと、前記ニップルにカシメ止めされたソケットとから構成されたものがあり、前記ニップルがベンド管から成るもの（この欄では屈曲型ホース継手金具という）と、ニップルが直線管からなるもの（この欄では直線型ホース継手金具という）がある。
【０００３】
屈曲型ホース継手金具では、例えば９０°に屈曲したベンド管にナット及びソケットを組み付ける構成を採っているので、ベンド管におけるソケット側を手のみで支持した状態で、ナットを機器側の雄ネジに螺合することができる（例えば、特許文献１。）。
【０００４】
これに対し、直線型ホース継手金具では、直線状のニップルにナット及びソケット等が直線状に組み付けられている構成を採っているので、ニップルに六角等の工具対応部を設けておき、この工具対応部をレンチ等の工具で支持しながら、ナットを機器側の雄ネジに螺合するようにしている。
【０００５】
ところで、直線型ホース継手金具では、上記ニップルは工具対応部がニップル本体から大きく外側に張り出す形状となっているから、素材（材料である鋼材）は最終形態のニップルと比較して非常に大きなものとしなければならず、その結果、材料費が多くかかると共に事前の切削加工に多くの時間を要してしまう。つまり、直線型ホース継手金具は、高コストに成らざるを得ないという問題がある。
【０００６】
そこで、上記問題を解決する一手段として、ニップルに、当該ニップルとは別体の工具対応部を有するリングを圧入するという構成を採ることが考えられる。
【０００７】
ところが、ニップルにリングを圧入する構成を採るためには、両者の嵌め合いの寸法交差が非常に厳格なものとなり、これら嵌め合いの加工が困難であることから実質的にコストダウンをはかることが不可能である。
【０００８】
また、組立を容易なものとすべく両者の嵌め合いを緩めとした場合には、ニップルに対してリング状の工具対応部が相対回動するという好ましくない事態が発生する。
【特許文献１】特開２００２−２２０７９号公報
【発明の開示】
【発明が解決しようとする課題】
【０００９】
そこで、この発明では、ニップルとこれに圧入されるリングが相対回動せず且つ低コストであるホース継手金具を提供することを課題とする。
【００１０】
また、この発明では、低コストで、ニップルとこれに圧入されるリングが相対回動しにくいホース継手金具におけるニップルへのリングの取り付け方法を提供することを課題とする。
【課題を解決するための手段】
【００１１】
（請求項１記載の発明）
この発明は、ニップルと、前記ニップルの一端部に回動自在に且つ抜け止め状態に取り付けられるナットと、工具対応部を有し且つ前記ニップルに圧入されたリングと、前記リングにカシメ止めされたソケットとから構成され、前記ニップル、ナット、リング及びソケットが同一直線上に組み込まれているホース継手金具において、前記ニップルの外周壁に形成された凹凸とリングの内周壁に形成された凹凸とが周方向に係止状態になっている。
（請求項２記載の発明）
この発明は、ニップルと、前記ニップルの一端部に回動自在に且つ抜け止め状態に取り付けられるナットと、前記ニップルにカシメ止めされたソケットとから構成され、前記ニップル、ナット、及びソケットが同一直線上に組み込まれているホース継手金具において、前記ニップルの外周壁に形成された凹凸とソケット内周壁に形成された凹凸とが周方向に係止状態になっている。
（請求項３記載の発明）
この発明のホース継手金具は、上記請求項１記載の発明に関し、ニップルの外周壁に形成された凹凸は、当該ニップルの長さ方向の凹凸、あやめ方向の凹凸、螺旋状の凹凸又はランダムな凹凸であり、リングの内周壁に形成された凹凸は前記ニップルの外周壁に形成された凹凸が転写されたものである。
（請求項４記載の発明）
この発明のホース継手金具は、上記請求項２記載の発明に関し、ニップルの外周壁に形成された凹凸は、当該ニップルの長さ方向の凹凸、あやめ方向の凹凸、螺旋状の凹凸又はランダムな凹凸であり、ソケットの内周壁に形成された凹凸は前記ニップルの外周壁に形成された凹凸が転写されたものである。
（請求項５記載の発明）
この発明のホース継手金具は、上記請求項４記載の発明に関し、ニップルの外周壁に形成された凹凸は、ローレット加工により形成されたものである。
（請求項６記載の発明）
この発明のホース継手金具は、上記請求項１、３、５のいずれかに記載の発明に関し、ニップルにおけるリングが圧入される箇所には、ニップル軸方向に三列の凹凸形成部が形成されている。
（請求項７記載の発明）
この発明のホース継手金具は、上記請求項２、４、５のいずれかに記載の発明に関し、ニップルにおけるソケットが圧入される箇所には、ニップル軸方向に三列の凹凸形成部が形成されている。
（請求項８記載の発明）
この発明のホース継手金具は、上記請求項６又は７記載の発明に関し、ニップルの外周壁に形成された三列の凹凸形成部のうち、中央部の径はこれを挟む両端部の径よりも小径としてある。
（請求項９記載の発明）
この発明のホース継手金具におけるニップルへのリングの取り付け方法は、ニップルの外周壁にローレット加工によって凹凸を形成する工程と、前記ニップルにおける凹凸が形成された部分にリングを圧入する工程と、前記圧入されたリングを外周壁から内周壁側に向かってカシメて、ニップルの外周壁に形成された凹凸を前記リングの内周壁に転写する工程とから成る。
（請求項10記載の発明）
この発明のホース継手金具におけるニップルへのリングの取り付け方法は、ニップルの外周壁にローレット加工によって凹凸を形成する工程と、前記ニップルにおける凹凸が形成された部分にソケットを圧入する工程と、前記圧入されたソケットを外周壁から内周壁側に向かってカシメて、ニップルの外周壁に形成された凹凸を前記ソケットのの内周壁に転写する工程とから成る。
【発明の効果】
【００１２】
この発明のホース継手金具では、ニップルとこれに圧入されるリングが相対回動せず且つ低コストであるホース継手金具を提供できる。
【００１３】
また、この発明のホース継手金具におけるニップルへのリングの取り付け方法によると、低コストで、ニップルとこれに圧入されるリングが相対回動しにくいものとすることができる。
【発明を実施するための最良の形態】
【００１４】
以下にこの発明のホース継手金具を実施するための最良の形態としての実施例について詳細に説明する。
【実施例１】
【００１５】
図１はこの発明の実施例のホース継手金具Ｔの部分断面図、図２は前記ホース継手金具Ｔの分解図、図３はリング３の内周径Ｄとニップル１の大径部１１ａ，１１ｂとの関係を示す断面図、図４はニップル１にリング３を圧入した状態の断面図、図５は図４の状態においてリング３が外方からの力によりカシメられてリング３の内周壁の金属部分が小径部１１ｓの凹部ｄ内に侵入していく状態の断面図を示している。
（このホース継手金具Ｔの基本的構成について）
このホース継手金具Ｔは、図１や図２に示すように、ニップル１と、前記ニップル１の一端部に回動自在に且つ抜け止め状態に取り付けられるナット２と、工具対応部３１を有し且つ前記ニップル１に圧入されたリング３と、前記リング３にカシメ止めされたソケット４とから構成され、前記ニップル１の外周壁に形成された凹凸とリング３の内周壁に形成された凹凸とが周方向に係止状態になっている。なお、前記ニップル１に対して、ナット２、リング３及びソケット４は同一直線上に組み込まれている
以下に、このホース継手金具Ｔを構成するニップル１、ナット２、リング３、ソケット４の具体的構成及びこれら相互の結合等について詳述する。
（ニップル１の構成について）
ニップル１は、図１や図２に示すように、全体が鉄鋼等の金属材料により構成されており、拡大筒部１ａと細筒部１ｂとを一体的に形成したものである。このニップル１には、図１や図２に示すように、拡大筒部１ａと細筒部１ｂとの段付き部分１０に後述するナット２の鍔部２０を係合させてあり、これにより、ニップル１に対してナット２を回動自在に且つ抜け止め状態に取り付けてある。
【００１６】
ここで、上記細筒部１ｂには、図１や図２に示すように、ナット２の配置部に近い側に凹凸形成部１１が、遠い側にホース挿入部１３が、それぞれ形成されている。凹凸形成部１１は、図２に示すように、ローレット加工された２列の大径部１１ａ，１１ｂと、前記大径部１１ａ，１１ｂ相互間に位置するローレット加工された小径部１１ｓから構成されている。ホース挿入部１３は、図１や図２に示すように、複数の周溝１４を一定間隔で設けるようにして周凹凸部を構成してあり、これに外挿されたホースの内面との間の水密性やホースの引き抜き強度をを高めている。
（ナット２の構成について）
ナット２は、図１や図２に示すように、全体が鉄鋼等の金属材料により構成されており、一端面側に上記鍔部２０を設けてあると共に、内面に雌ネジ２１を形成してある。
（リング３の構成について）
リング３は、全体が鉄鋼等の金属材料により構成されており、図１や図２に示すように、短筒本体３０における、一端側に大径である工具対応部３１を、他端側に小径である係止用周突起３２を、それぞれ設けてある。ここで、短筒本体３０の内周径Ｄは、図３に示すように、大径部１１ａ，１１ｂの凸部ｕにおける径よりも小径に、且つ、大径部１１ａ，１１ｂの凹部ｄにおける径よりも大径に設定してあり、更に、小径部１１ｓの凸部における径よりも大径に設定してある。
【００１７】
工具対応部３１は、六角形状に形成されており、レンチ等により位置固定できるようにしてある。また、短筒本体３０の外周壁には図２に示すように、ローレット加工により凹凸を形成してある。
（ソケット４の構成について）
ソケット４は、全体が鉄鋼等の金属材料により構成された円管状のものであり、図１や図２に示すように、その内周径を上記係止用周突起３２の直径よりも少し大きく設定してある。また、ソケット４の内周壁には、図２に示すように、複数の周溝４０が一定間隔で形成されている。
（このホース継手金具Ｔを組み立てについて）
(1) ニップル１の細筒部１ｂにナット２に外挿させ、拡大筒部１ａと細筒部１ｂとの段付き部分１０と、ナット２の鍔部２０とが係合するまでナット2 を移動させる。
(2) ニップル１の細筒部１ｂにリング３を外挿させ、凹凸形成部１１にリング３が圧入されるまで当該リング３を押圧移動させる。
【００１８】
ここで、リング３の内周径Ｄは、図３に示すように、大径部１１ａ，１１ｂの凸部ｕよりも小径に、大径部１１ａ，１１ｂの凹部ｄよりも大径に、それぞれ設定してある。したがって、凹凸形成部１１にリング３が圧入された状態では、図４に示すように、大径部１１ａ，１１ｂの凸部ｕの先端部分が塑性変形して多くの面積でリング３の内周壁に押圧接触し、リング３とニップル１相互間に生じる周方向及び軸方向の力に対して摩擦による係止力が作用することになる。
(3) ニップル１にソケット４を外挿し、ソケット４の挿入端が工具対応部３１の端面に当接するまで移動させる。
(4) ソケット４における小径部１１ｓと対応する位置を図示しないカシメ具により短筒本体３０を縮径させるべくカシメる。カシメ作業の初期には、小径部１１ｓの凸部の先端部分が塑性変形して多くの面積でリング３の内周壁に押圧接触（図４参照）し、リング３とニップル１相互間に生じる周方向の力に対して摩擦による係止力が作用することになる。さらに、カシメ作業が進んでいくと、小径部１１ｓの外周壁に形成された凹凸がリング３の内周壁に転写されていき、図５に示すように、リング３の内周壁の金属部分が小径部１１ｃの凹部ｄ内に侵入していく。したがって、小径部１１ｓの凹凸とリング３の内周壁の凹凸との係わりによりリング３はニップル１に対して回動不能となる。また、リング３の内面中央部は小径部１１ｓの外周壁に接触するまで縮径されるので、リング３の前記縮径部と大径部１１ｂとの係わりによりリング３はニップル１に対して軸方向に移動不能となる。
（このホース継手金具Ｔの優れた作用・効果について）
このホース継手金具Ｔでは、ニップルとこれに圧入されるリングが相対回動及び軸方向に移動しにくいものとなる。
【００１９】
また、このホース継手金具Ｔでは、大径部１１ａ，１１ｂの外周壁はローレット加工により凹凸が形成されているので塑性変形しやすく、大径部１１ａ，１１ｂへのリング３の圧入は比較的簡単に行える。つまり大径部１１ａ，１１ｂの外径とリング３の内径との嵌め合いの寸法交差はそれほど厳格なものとする必要がなくなり、その結果よって、実質的にコストダウンを図ることが容易である。
【実施例２】
【００２０】
図６はこの発明の実施例２のホース継手金具Ｔの分解図を示している。
【００２１】
この実施例２のホース継手金具Ｔは、実施例１と同様にニップル１、ナット２、リング３及びソケット４から成るものであるが、図６に示すように、凹凸形成部１１が、ローレット加工された３列の大径部１１ａ，１１ｂ，１１ｃと、前記大径部１１ａ，１１ｂ相互間及び大径部１１ｂ，１１ｃ相互間に形成された小径部１２とから成っている点が相違している。
【００２２】
この実施例２の場合、ニップル１にリング３を圧入した場合、リング３の内周壁と大径部１１ａ，１１ｂ，１１ｃの外周壁との摩擦による係止力によってリング３はニップル１に対して軸方向に移動不能となり、また、リング３の内径をカシメにより縮径させることによって実施例１と同様の理由により小径部１１ｓの凹凸と、リング３の内周壁の凹凸との係わりによりリング３はニップル１に対して回動不能となる。
【実施例３】
【００２３】
図７はこの発明の実施例３のホース継手金具Ｔの半断面図を示している。
【００２４】
このホース継手金具Ｔでは、図７に示すように、リング３を介することなく、工具対応部４１’を有したソケット４’をニップル１におけるローレット加工された部分（図２の大径部１１ａ，１１ｂ及び小径部１１ｓが形成された部分）に圧入し、当該ローレット加工された部分と対向するソケット４’部分をその外周側から内周側にカシメるようにして構成している。なお、上記したローレット加工された部分は、大径部１１ａ，１１ｂ，１１ｃと、前記大径部１１ａ，１１ｂ相互間及び大径部１１ｂ，１１ｃ相互間に形成された小径部１２から成るものでもよい。
【００２５】
このホース継手金具Ｔは、上記のような構成であるから、上記実施例１、２と同様の効果を奏することが明らかである。
【図面の簡単な説明】
【００２６】
【図１】この発明の実施例１のホース継手金具の部分断面図。
【図２】前記ホース継手金具の分解図。
【図３】前記ホース継手金具におけるリングの内周径とニップルの大径部との関係を示す断面図。
【図４】前記ホース継手金具におけるニップルにリングを圧入した状態の断面図。
【図５】図４の状態においてリングが外方からの力によりカシメられたリングの内
【図６】この発明の実施例２のホース継手金具の部分断面図。
【図７】この発明の実施例３のホース継手金具の部分断面図。
【符号の説明】
【００２７】
Ｔ      ホース継手金具
１      ニップル
２      ナット
３      リング
４      ソケット
４’    ソケット
１１    凹凸形成部
１１ａ  大径部
１１ｂ  大径部
１１ｃ  大径部
１１ｓ  小径部
１２    小径部
【図１】
2006090358.tif 000003
【図２】
2006090358.tif 000004
【図３】
2006090358.tif 000005
【図４】
2006090358.tif 000006
【図５】
2006090358.tif 000007
【図６】
2006090358.tif 000008
【図７】
2006090358.tif 000009